(57)【要約】【課題】従来、記載されたデータは一旦サーバに送信されて保存されるが、例えば、保存期間が過ぎると削除されるために、以前に保存した記載情報を利用しようとしても読み出すことができない。【解決手段】デジタルペンとデジタルペン専用用紙を使用した入力情報の保存システムであって、少なくとも筆記手段と光学読取手段と記憶手段と送信手段とを有するデジタルペンと、少なくとも入力手段と送受信手段と表示手段と入力情報を保存する保存手段とを有する入力情報処理端末と、デジタルペンシステム管理サーバと、少なくとも通信手段と受信した情報を一定期間保存する保存手段とを有する情報収集サーバと、デジタルペンによる読取り用ドットパターンが印刷され少なくとも記載情報の保存先指定欄が印刷された情報記載用紙とを有する入力情報保存システムを提供する。【選択図】  図１
2007193467.tif 000002
【特許請求の範囲】
【請求項１】
デジタルペンとデジタルペンで読取可能なドットパターンが印刷されたデジタルペン専用用紙を使用してイメージ検索サイトなどでイメージ素材を検索するシステムあって、
前記ドットパターン印刷領域内に、検索情報としてイメージ素材の構図と、検索キーワードを記載する検索情報記載用紙と、
前記検索情報記載用紙からドットパターンによる検索情報を光学的に取得するデジタルペンと、
デジタルペンに接続され、少なくともデジタルペンが取得した前記検索情報をネット上に接続し、イメージ素材の検索を行う通信端末と、
前記通信端末から送信されたドットパターンによる検索情報をテキスト情報に変換するデジタルペンシステム管理サーバと、
ネット上で、前記通信端末から検索の要請を受けて、イメージ素材を検索する検索サーバと、
検索サーバに接続されたイメージ素材ＤＢと、
を備えたことを特徴とするイメージ素材検索システム。
【請求項２】
請求項１に記載のイメージ検索システムにおいて、
デジタルペンシステム管理サーバが有する機能を通信端末に外付け、または、内蔵させたことを特徴とするイメージ素材検索システム。
【請求項３】
請求項１〜２何れか１項に記載のイメージ検索システムにおいて、
イメージ素材ＤＢに登録されているイメージ素材には、あらかじめイメージごとに構図情報が組み込まれたことを特徴とするイメージ素材検索システム。
【請求項４】
請求項３に記載のイメージ検索システムにおいて、
イメージ素材の構図には、写真，クリップアート，アニメーション画像を含み、
検索キーワードには、サイト上で指定できるイメージの部類名およびイメージのキーワードを含むことを特徴とするイメージ素材検索システム。
【発明の詳細な説明】
【技術分野】
【０００１】
本発明は、検索サイトなどで目的とするイメージ素材に的確に到達するためのイメージ素材検索システムに関する。
【背景技術】
【０００２】
広告や宣伝のために多くの印刷物が利用されているが、印刷物の部数が少ない場合は一枚あたりのコストが高くなるという問題がある。
そこで、コストを安くするために、パーソナルコンピュータ等で自ら画面を作成し、作成した画面をカラープリンタ等で印刷するケースが増えている。
前述の場合、印刷コストは安くできても、専門技術を持ち合わせていないユーザにとって、質の高い印刷物を作成することは大きな困難を伴う。これは、印刷物に使用するイメージ素材（写真イメージやイラストイメージ等），文字フォント，印刷色、更に、編集技術など多くの難関を克服して完成させなければならない。
そこで、ユーザの希望を取り入れつつ画像情報を効率よく編集支援する画像編集支援システムが提供されている（例えば、特許文献１参照）。
【０００３】
特許文献１に記載されている技術によれば、その加工操作が可能な画像を保持する画像保持システムと、印刷装置が接続され所定のプログラムの実行が可能なユーザ端末とが接続可能なネットワーク上に配備されるシステムであって、前記ネットワークを通じてアクセスしてきた前記ユーザ端末に画像編集用プログラムを送出し、この画像編集用プログラムを実行させることで当該ユーザ端末上に画像加工操作の環境を構築させるプログラム管理手段と、前記画像加工操作の環境を構築したユーザ端末からの要求に応じて加工操作の対象となる画像を配信する画像配信手段と、この画像配信手段で配信した画像、前記ユーザ端末が自ら保有する画像、前記ユーザ端末が前記画像保持システムより入手した画像の少なくとも一つの画像に対して施された加工操作の内容と加工操作された画像とを取得する情報取得手段と、この情報取得手段で取得した画像を、取得した加工操作の内容に従って編集し、これにより得られた編集画像を前記加工操作を行ったユーザ端末の印刷装置で印刷可能な情報に変換して出力する編集支援手段とを備えた画像編集支援システムと、その方法、及び、コンピュータを画像編集支援システムとして動作するためのコンピュータプログラムを提供するというものである。
【０００４】
【特許文献１】特開２００２−２４４８２７号公報
【発明の開示】
【発明が解決しようとする課題】
【０００５】
特許文献１に記載された技術を含め、通常のウェブブラウザ上でイメージ素材を検索する場合、検索したい素材に関連するキーワードをウェブブラウザ上で入力し、イメージ素材を検索する。しかしながら、イメージ素材に検索キーワードを割り当てた画面作成者と、キーワードを入力して検索しようとする利用者のイメージが一致しない限り、利用者は希望するイメージにたどり着くことができない。
【課題を解決するための手段】
【０００６】
前記課題を解決するために本発明のイメージ素材検索システムの第一の発明は、デジタルペンとデジタルペンで読取可能なドットパターンが印刷されたデジタルペン専用用紙を使用してイメージ検索サイトなどでイメージ素材を検索するシステムあって、前記ドットパターン印刷領域内に、検索情報としてイメージ素材の構図と、検索キーワードを記載する検索情報記載用紙と、前記検索情報記載用紙からドットパターンによる検索情報を光学的に取得するデジタルペンと、デジタルペンに接続され、少なくともデジタルペンが取得した前記検索情報をネット上に接続し、イメージ素材の検索を行う通信端末と、前記通信端末から送信されたドットパターンによる検索情報をテキスト情報に変換するデジタルペンシステム管理サーバと、ネット上で検索の要請を受けてイメージ素材を検索する検索サーバと、検索サーバに接続されたイメージ素材ＤＢと、を備えたことを特徴とするものである。
【０００７】
また、第二の発明は、第一の発明において、デジタルペンシステム管理サーバが有する機能を通信端末に外付け、または、内蔵させたことを特徴とするものである。
【０００８】
また、第三の発明は、第一，第二何れかの発明において、イメージ素材ＤＢに登録されているイメージ素材には、あらかじめイメージごとに構図情報が組み込まれたことを特徴とするものである。
【０００９】
また、第四の発明は、第三の発明において、イメージ素材の構図には、写真，クリップアート，アニメーション画像を含み、検索キーワードには、サイト上で指定できるイメージの部類名およびイメージのキーワードを含むことを特徴とするものである。
【発明の効果】
【００１０】
本発明のイメージ素材検索システムによって、検索情報記載用紙に描かれたイメージ素材の構図を検索情報として通信端末へ送信して検索することで、キーワードやデータ形式以外の要素での検索のための条件付けが可能となる。
また、通信端末が立ち上げてあれば、ブラウザを起動して検索サイトへアクセスする必要がなく、検索情報記載用紙に記載することで即座に検索サイトにアクセスでき、検索を開始することができる。
【発明を実施するための最良の形態】
【００１１】
以下、図面を参照して本発明のイメージ素材検索システムについて説明する。
図１は、本発明のイメージ素材検索システムを構築するための装置および媒体の一例について説明するための図，図２は、検索情報記載用紙の一例について説明するための図，図３は、検索されたイメージ素材の一例について説明するための図，図４は、デジタルペンについて説明するための図，図５は、デジタルペン専用用紙について説明するための図，図６は、イメージ素材検索の手順の一例について説明するための図，である。
以下の説明では、デジタルペンはスウェーデン国の「Ａｎｏｔｏ社」で開発されたアノトペンの例で、検索情報記載用紙はアノトペン専用ドットパターンが印刷された検索情報記載用紙の例で説明する。
【００１２】
図１を参照して、本発明のイメージ素材検索システムを構築するための装置および媒体の一例について説明する。
本発明のイメージ素材検索システムは、デジタルペンとデジタルペンで読取可能なドットパターンが印刷されたデジタルペン専用用紙を使用してイメージ検索サイトなどでイメージ素材を検索するシステムあって、前記ドットパターン印刷領域内に、検索情報としてイメージ素材の構図と、検索キーワードを記載する検索情報記載用紙５と、前記検索情報記載用紙からドットパターンによる検索情報を光学的に取得するデジタルペン１と、デジタルペンに接続され、少なくともデジタルペンが取得した前記検索情報をネット上に接続し、イメージ素材の検索を行う通信端末２と、前記通信端末２から送信されたドットパターンによる検索情報をテキスト情報に変換するデジタルペンシステム管理サーバ４と、ネット上で検索の要請を受けてイメージ素材を検索する検索サーバ３と、検索サーバに接続されたイメージ素材ＤＢ３１とによって構築される。
なお、デジタルペンシステム管理サーバ４が有する機能は、通信端末２に外付け、または、内蔵させて構築することもできる。
また、イメージ素材ＤＢ３１に登録されているイメージ素材には、あらかじめイメージごとに構図情報が組み込まれている。
【００１３】
先ず、図４を参照して、デジタルペンについて説明する。
デジタルペン１は、インクカートリッジ１０８を伴った筆記部１０６，ドットパターンを読み取るデジタルカメラによる撮像部１０５，撮像部で読み取られた筆記情報（ドットパターンの軌跡情報）を記憶する記憶部１０３，通信端末にストローク情報による座標情報を送信する通信部１０２，これらの機能を制御する制御部１０４，デジタルペン用の圧力センサ１０７，図示しないが電源部，で構成され、これらをデジタルペン１の筐体１０１の内部に搭載している。
デジタルペン１は、デジタルペン専用用紙に印刷されたドットパターン情報を撮像部１０５で読み取って記憶部１０３で記憶し、図示しないが、デジタルペンのユニークな識別情報などと共に通信部１０２から通信端末２に送信する。
通信部１０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
また、デジタルペン１の筐体１０１に組み込まれた筆記部１０６は、単なる筆記具として使用することもできる。
【００１４】
筆記部１０６は、筆記情報を可視状態で記載部に残す役割の他に、撮像部１０５とドットパターン印刷面との距離を一定にする役割を担っている。
筆記部１０６がデジタルペン筐体１０１に装着されたときに、インクカートリッジ１０８側の先端が、デジタルペン筐体１０１に取り付けられたデジタルペン用の圧力センサ１０７に接触するようになっている。
この圧力センサ１０７は、情報の記載が開始されることを制御部１０４に伝える役割と、筆圧の強弱を読み分ける役割を備えている。
そのために、本発明では利用しないが、署名の際に筆圧による特徴を把握し、署名している者が、例えば、登録されている者か否かを判定する利用分野にも対応できるようになっている。
インクカートリッジ１０８の残量を確認する場合、または、充填する場合は、例えば、筆記部１０６をデジタルペン筐体１０１の先端から引き抜いてインクの残量確認、または、インクの補充を行う。
【００１５】
図５を参照して、デジタルペン専用用紙について説明する。
デジタルペン専用用紙は、図に示すようなデジタルペン専用ドットパターンが紙面一面に印刷された紙である。図に示す縦横の仮想線は、説明し易くするために便宜上記載しているが実際には印刷されていない。
デジタルペン専用ドットパターンの各ドットは、０．３ｍｍ間隔で形成された直角に交わる縦横の仮想線の交点近傍に、それぞれ異なる４方向の何れかに配置され、デジタルペンの撮像部で認識可能な無色または有色のインキで印刷されている。
前述のＡｎｏｔｏ社のシステムでは、３６個のドット（約４ｍｍ2の内側に印刷されたドット群）を１単位情報として扱っている。
【００１６】
デジタルペンで、デジタルペン専用用紙上に文字や記号を記載すると、ペン先がどの位置をなぞっているか、その近傍に印刷されたドットパターンの座標情報をデジタルペンに内蔵された撮像部で読み取って、ペン先が移動した単位情報の軌跡をデジタルペンの記憶部に記憶するようになっている。一つのアプリケーションには、同一のドットパターンが存在しないように管理されている。
【００１７】
デジタルペンシステム管理サーバについて説明する。
デジタルペンシステム管理サーバ４は、図示しないが、多くの場合、ＰＬＳサーバと、ＡＳＨサーバに分けられて使用される。
検索情報記載用紙５とデジタルペン１によって取得された座標情報による検索情報は、通信端末２を介してＰＬＳ（Ｐａｐｅｒ  Ｌｏｏｋ−ｕｐ  Ｓｅｒｖｉｃｅ）と呼ばれるデジタルペンシステム管理サーバに送信される。
ＰＬＳサーバは、受信したストローク情報による座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）とストローク情報による座標情報を通信端末２に送信する。
通信端末２は、ストローク情報による座標情報による検索情報をＡＳＨサーバに送信する。
ＡＳＨサーバは、ストローク情報による座標情報をテキストデータなどに変換して通信端末２に送り返す。
【００１８】
通信端末について説明する。
通信端末２は、例えば、表示部，入力部，通信部を備えたパーソナルコンピュータのような装置である。通信端末２は、インターネット画面でイメージ素材を提供する検索サーバに接続し、検索情報記載用紙５とデジタルペンによって、入力されたイメージ素材を検索する。
通信端末２は、検索サーバに接続する前に、検索情報記載用紙５とデジタルペン１によって取得された座標情報による検索情報をデジタルペンシステム管理サーバに送信し、ストローク情報による座標情報をテキストデータなどに変換する。
前述のように、デジタルペンシステム管理サーバ４が有する機能を通信端末に外付け、または、内蔵させて使用することもできる。
以下の説明では、上記デジタルペンシステム管理サーバ４が有する機能を通信端末２に外付け、または、内蔵させて使用する例で説明する。
【００１９】
検索サーバについて説明する。
検索サーバ３は、ネット上に設置され、通信端末２に接続されている。
検索サーバ３に接続されたイメージ素材ＤＢ（データベース）３１には、通信端末２によって提供された検索イメージの構図要素を解析するプログラム，カテゴリ（同じ性質のものが属する部類）名ファイル，キーワードファイル，それぞれに対応したイメージ素材ファイル等がそれぞれ格納されている。
カテゴリ名ファイル，キーワードファイルには、例えば、イメージ素材の利用分野として、「ビジネス」，「遊び」，「スポーツ」，「学問」，「歴史」などのカテゴリ名や、「食品」，「人物」，「動物」，「植物」，「文字」などのカテゴリ名がファイルされている。
検索サーバ３は、通信端末２によって提供された検索イメージの構図情報，キーワードから的確に通信端末が要求するイメージ素材を探し出して送信する。
【００２０】
図２を参照して、検索情報記載用紙の一例について説明する。
前述のように検索情報記載用紙５には、情報記載面全面にわたってデジタルペン専用ドットパターンがデジタルペンの撮像部で認識可能な無色、または、有色のインキで印刷されている。
検索情報記載用紙５の上部には、検索情報を構図で記載する構図記載欄５１が、また、下部には検索情報をキーワードで記載するキーワード記載欄５２，イメージ素材の部類を選択するチェックマーク記載欄５３，送信マーク記載ボックス５４が設けてある。
例えば、キーワード記載欄５２には、カタカナと漢字で「ミーティング」と、「会議」のキーワードが「ｏｒ形式」で記載されている。
またチェックマーク記載欄５３には、「クリップアート」が選択され、チェックマークが記載されている。
また、送信マーク記載ボックス５４に検索を開始するためのチェックマークが記載されている。
【００２１】
図３を参照して、検索されたイメージ素材の一例について説明する。
デジタルペンによって検索情報記載用紙に記載された検索情報は、通信端末を介してネットに接続され、検索サーバに接続される。
検索サーバは、接続されたＤＢから、受信した検索情報に最も近いイメージ素材を探し出して通信端末に送信し、通信端末の表示部に検索されたイメージ素材５１１として表示する。
【００２２】
図６を参照して、イメージ素材検索の手順の一例について説明する。
デジタルペン１は、検索情報記載用紙に、検索しようとするイメージ素材の構図を記載する（ステップ１：以下Ｓ１という）。
デジタルペン１は、次に、検索情報記載用紙にキーワードを記載し、選択マーク記載ボックスにチェックマークを記載する（Ｓ２）。
デジタルペン１は、更に、検索情報記載用紙の送信マーク記載ボックスにチェックマークを記載して検索情報を送信する（Ｓ３）。
デジタルペンシステム管理サーバ機能（ＰＬＳサーバ機能と、ＡＳＨサーバ機能）を内蔵した通信端末２は、Ｓ３でデジタルペンから送信された検索情報を受信する（Ｓ４）。通信端末２は、まず、検索情報をテキストデータに変換する（Ｓ５）。通信端末２は、テキストデータに変換した検索情報を検索サーバ３に送信する（Ｓ６）。
Ｓ６では、通信端末が立ち上がっていれば、自動的にブラウザを起動して検索サイトへアクセスすることができる。
検索サーバ３は、Ｓ６で通信端末２から送信された検索情報を受信する（Ｓ７）。
検索サーバ３は、接続されたイメージ素材ＤＢ３１のキーワードファイルから受信した検索情報のキーワード情報を検索する（Ｓ８）。このキーワードから複数のイメージ素材が検索される。
次に、検索サーバ３は、構図情報解析プログラムで、検索情報の構図情報に合致したイメージ素材を検索する（Ｓ９）。そして、Ｓ８で検索されたイメージ素材をＳ９の条件で絞り込む（Ｓ１０）。
絞り込まれたイメージ素材を通信端末２に送信する（Ｓ１１）。
通信端末２は、Ｓ１１で検索サーバ３から送信されたイメージ素材の検索結果を受信する（Ｓ１２）。
【産業上の利用可能性】
【００２３】
イメージ素材検索業務全般に利用できる。
【図面の簡単な説明】
【００２４】
【図１】本発明のイメージ素材検索システムを構築するための装置および媒体の一例について説明するための図である。
【図２】検索情報記載用紙の一例について説明するための図である。
【図３】検索されたイメージ素材の一例について説明するための図である。
【図４】デジタルペンについて説明するための図である。
【図５】デジタルペン専用用紙について説明するための図である。
【図６】イメージ素材検索の手順の一例について説明するための図である。
【符号の説明】
【００２５】
１      デジタルペン
２      通信端末
３      検索サーバ
４      デジタルペンシステム管理サーバ
５      検索情報記載用紙
３１    イメージ素材ＤＢ
５１    構図記載欄
５２    キーワード記載欄
５３    選択マーク記載ボックス
５４    送信マーク記載ボックス
１０１  筐体
１０２  通信部
１０３  記憶部
１０４  制御部
１０５  撮像部
１０６  筆記部
１０７  圧力センサ
１０８  インクカートリッジ
５１１  検索されたイメージ素材
【図１】
2007193467.tif 000003
【図２】
2007193467.tif 000004
【図３】
2007193467.tif 000005
【図４】
2007193467.tif 000006
【図５】
2007193467.tif 000007
【図６】
2007193467.tif 000008